【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
被検物の収差を測定するための測定光を被検物に合焦させる測定光合焦手段と、
前記測定光により測定された収差に基づいて状態を変更する収差補正手段と、
被検物を撮影するための撮影光を前記被検物に合焦させる撮影光合焦手段と、
前記収差補正手段及び前記撮影光合焦手段を経由した前記撮影光により前記被検物を撮影する撮影手段と、
前記測定光合焦手段と前記撮影光合焦手段との状態を連動させて制御する制御手段と、
を有することを特徴とする撮影装置。
【請求項２】
前記合焦された測定光の前記被検物からの戻り光に基づいて収差を測定する収差測定手段を更に有し、
前記制御手段は、前記測定光合焦手段の状態に応じて前記撮影光合焦手段の状態を制御するともに、前記測定手段により測定されたデフォーカス値に基づいて前記撮影光合焦手段の状態を制御することを特徴とする請求項１に記載の撮影装置。
【請求項３】
前記撮影光合焦手段の状態を、前記測定光合焦手段の状態とは独立に制御するための指示手段を更に有し、
前記制御手段は、前記指示手段からの指示に応じて前記撮影光合焦手段の状態を制御することを特徴とする請求項１または２に記載の撮影装置。
【請求項４】
前記撮影手段により撮影された画像を表示部に表示させる表示制御手段を更に有し、
前記指示手段は、前記表示制御手段により前記表示部に表示されたボタンであることを特徴とする請求項３に記載の撮影装置。
【請求項５】
前記撮影光合焦手段の状態を、前記測定光合焦手段の状態とは独立に制御するための第一の指示手段と、
前記撮影光合焦手段と前記測定光合焦手段との状態を連動させて制御するための第二の指示手段と、更に有し、
前記制御手段は、前記第一及び第二の指示手段からの指示に応じて前記撮影光合焦手段の状態を制御することを特徴とする請求項１乃至４のいずれか１項に記載の撮影装置。
【請求項６】
前記撮影光とは異なるその他の撮影光を前記被検物に合焦させるその他の撮影光合焦手段と、
前記その他の撮影光に基づいて前記画像よりも画角の広い広画角画像を撮影するその他の撮影手段と、を更に有し、
前記制御手段は、前記その他の撮影光合焦手段と、前記測定光合焦手段と、前記撮影光合焦手段と、の状態を連動させて制御することを特徴とする請求項１乃至５のいずれか１項に記載の撮影装置。
【請求項７】
前記撮影光合焦手段の状態を、前記測定光合焦手段及び前記その他の撮影光合焦手段の状態とは独立に制御するための第一の指示手段と、
前記撮影光合焦手段、前記測定光合焦手段及び前記その他の撮影光合焦手段の状態を連動させて制御するための第二の指示手段と、更に有し、
前記制御手段は、前記第一及び第二の指示手段からの指示に応じて前記撮影光合焦手段の状態を制御することを特徴とする請求項６に記載の撮影装置。
【請求項８】
前記撮影手段により撮影された画像を表示部に表示させる表示制御手段を更に有し、
前記第一及び第二の指示手段は、前記表示制御手段により前記表示部にそれぞれ表示されたボタンであることを特徴とする請求項５または７に記載の撮影装置。
【請求項９】
前記制御手段は更に、前記被検物の深さ方向における撮影位置に応じて前記撮影光合焦手段の状態を制御することを特徴とする請求項１乃至８のいずれか１項に記載の撮影装置。
【請求項１０】
被検物の収差に応じて調整された収差補正手段を経由する撮影光により被検物を撮影する撮影装置であって、
被検物を撮影するための撮影光を被検物に合焦させる撮影光合焦手段と、
収差を測定するための測定光を被検物に合焦させる測定光合焦手段と、
前記測定光合焦手段と前記撮影光合焦手段との状態を連動させて制御する制御手段と、
を有することを特徴とする撮影装置。
【請求項１１】
前記測定光合焦手段は、前記測定光の光路の光軸に沿って移動可能な測定光合焦レンズであり、
前記撮影光合焦手段は、前記撮影光の光路の光軸に沿って移動可能な撮影光合焦レンズであり、
前記制御手段は、前記測定光合焦レンズと前記撮影光合焦レンズとを連動させて移動させることを特徴とする請求項１乃至１０のいずれか１項に記載の撮影装置。
【請求項１２】
前記被検物は被検者の眼部であることを特徴とする請求項１乃至１１のいずれか１項に記載の撮影装置。
【請求項１３】
前記測定光を前記眼部の瞳孔中心から偏心させて入射させるための光学系と、
前記光学系及び前記測定光合焦手段を経由した測定光の前記眼部からの戻り光の一部を遮蔽するためのピンホールと、
前記ピンホールを通過した前記戻り光を検出する検出手段と、
前記検出された戻り光に基づいて収差を測定する収差測定手段と、
を更に有することを特徴とする請求項１２に記載の撮影装置。
【請求項１４】
前記光学系は、前記眼部における前記撮影光の有効瞳の範囲外から前記測定光を入射させることを特徴とする請求項１２または１３に記載の撮影装置。
【請求項１５】
前記ピンホールは前記眼部の眼底と共役となるように配置されることを特徴とする請求項１２乃至１４のいずれか１項に記載の撮影装置。
【請求項１６】
前記眼部が注視するための固視灯を表示する固視灯表示手段と、
前記固視灯からの光を前記眼部に合焦させる固視灯合焦手段と、を更に有し、
前記制御手段は、前記測定光合焦手段と前記撮影光合焦手段と前記固視灯合焦手段との状態を連動させて制御することを特徴とする請求項１２乃至１５のいずれか１項に記載の撮影装置。
【請求項１７】
被検眼の収差に応じて調整された収差補正手段を経由する撮影光により被検眼を撮影する撮影装置であって、
被検眼を撮影するための撮影光を被検眼に合焦させる撮影光合焦手段と、
固視灯からの光を被検眼に合焦させる固視灯合焦手段と、
前記撮影光合焦手段と前記固視灯合焦手段との状態を連動させて制御する制御手段と、
を有することを特徴とする撮影装置。
【請求項１８】
前記固視灯合焦手段は、前記固視灯の光路の光軸に沿って移動可能な固視灯合焦レンズであり、
前記撮影光合焦手段は、前記撮影光の光路の光軸に沿って移動可能な撮影光合焦レンズであり、
前記制御手段は、前記固視灯合焦レンズと前記撮影光合焦レンズとを連動させて移動させることを特徴とする請求項１７に記載の撮影装置。
【請求項１９】
収差を測定するための測定光を被検眼に合焦させる測定光合焦手段と、
前記測定光を被検眼の瞳孔中心から偏心させて入射させるための光学系と、
被検物からの前記測定光の戻り光の一部を遮蔽するためのピンホールと、
前記ピンホールを通過した前記戻り光を検出する検出手段と、
前記検出された戻り光に基づいて収差を測定する収差測定手段と、
を有することを特徴とする撮影装置。
【請求項２０】
測定光合焦手段の状態を制御することにより収差を測定するための測定光を被検物に合焦させるステップと、
前記測定光合焦手段の状態の制御に連動させて撮影光合焦手段の状態を制御することにより被検物を撮影するための撮影光を被検物に合焦させるステップと、
前記測定光により測定された収差に基づいて収差補正手段の状態を変更するステップと、
前記収差補正手段及び前記撮影光合焦手段を経由した前記撮影光により前記被検物を撮影するステップと、
を有することを特徴とする撮影装置の制御方法。
【請求項２１】
被検物の収差に応じて調整された収差補正手段を経由する撮影光により被検物を撮影する撮影装置の制御方法であって、
被検物を撮影するための撮影光を被検物に合焦させる撮影光合焦手段と、収差を測定するための測定光を被検物に合焦させる測定光合焦手段との状態を連動させて制御する工程を有することを特徴とする撮影装置の制御方法。
【請求項２２】
被検眼の収差に応じて調整された収差補正手段を経由する撮影光により被検眼を撮影する撮影装置の制御方法であって、
被検眼を撮影するための撮影光を被検眼に合焦させる撮影光合焦手段と、固視灯からの光を被検眼に合焦させる固視灯合焦手段との状態を連動させて制御する工程を有することを特徴とする撮影装置の制御方法。
【請求項２３】
前記収差を測定するための測定光を測定光合焦手段の状態を制御することにより被検物に合焦させるステップと、
前記測定光合焦手段の状態の制御に連動させて被検物を撮影するための撮影光を撮影光合焦手段の状態を制御するステップと、
前記測定光合焦手段を経由した測定光に基づいて収差を測定するステップと、
測定された収差から得られるデフォーカス値に基づいて前記撮影光合焦手段の状態を制御するステップと、
前記被検物の深さ方向における撮影位置に応じて前記撮影光合焦手段の状態を制御するステップと、
を有することを特徴とする撮影装置の制御方法。
【請求項２４】
請求項２０乃至２３のいずれか１項に記載の制御方法をコンピュータに実行させるためのコンピュータ読み取り可能なプログラム。
【手続補正２】
【補正対象書類名】明細書
【補正対象項目名】０００５
【補正方法】変更
【補正の内容】
【０００５】
そこで、本発明の実施形態の一つに係る撮影装置は、
被検物の収差を測定するための測定光を被検物に合焦させる測定光合焦手段と、
前記測定光により測定された収差に基づいて状態を変更する収差補正手段と、
被検物を撮影するための撮影光を前記被検物に合焦させる撮影光合焦手段と、
前記収差補正手段及び前記撮影光合焦手段を経由した前記撮影光により前記被検物を撮影する撮影手段と、
前記測定光合焦手段と前記撮影光合焦手段との状態を連動させて制御する制御手段と、を有することを特徴とする。
また、本発明の実施形態の一つに係る撮影装置は、
被検物の収差に応じて調整された収差補正手段を経由する撮影光により被検物を撮影する撮影装置であって、
被検物を撮影するための撮影光を被検物に合焦させる撮影光合焦手段と、
収差を測定するための測定光を被検物に合焦させる測定光合焦手段と、
前記測定光合焦手段に前記撮影光合焦手段を連動させて状態を制御する制御手段と、を有することを特徴とする。
また、本発明の実施形態の一つに係る撮影装置は、
被検眼の収差に応じて調整された収差補正手段を経由する撮影光により被検眼を撮影する撮影装置であって、
被検眼を撮影するための撮影光を被検眼に合焦させる撮影光合焦手段と、
固視灯からの光を被検眼に合焦させる固視灯合焦手段と、
前記撮影光合焦手段と前記固視灯合焦手段との状態を連動させて制御する制御手段と、を有することを特徴とする。